(57)【特許請求の範囲】
【請求項１】
圧縮機、四方弁、室内熱交換器、室外熱交換器が接続された冷凍サイクルと、この室外熱交換器に送風する室外ファンと、複数のスイッチング素子が３相ブリッジ接続され、前記室外ファンを駆動するブラシレスモータのステータ巻線に電流を供給するインバータ回路と、前記ブラシレスモータのロータの磁極位置を検出するホール素子と、空気調和機の運転開始時の前記ブラシレスモータの起動前に、前記ホール素子の出力信号に同期させて、前記インバータ回路の正電圧側及び負電圧側のいずれか一方の１つの相のスイッチング素子といずれか他方の残りの２つの相のスイッチング素子とを通電すると共に、正電圧側及び負電圧側の少なくとも一方をＰＷＭ通電してロータを制動、停止させる制御手段とを備える空気調和機のファン用ブラシレスモータの駆動装置において、
前記制御手段は、さらに、徐霜モード運転の終了時の前記ブラシレスモータの起動前においてもロータを制動、停止させると共に、その際、空気調和機の運転開始時の前記ブラシレスモータの起動前の制動と比較して、徐霜モード運転の終了時のＰＷＭ通電のデューティ比を小さくすることを特徴とする空気調和機のファン用ブラシレスモータの駆動装置。
【発明の詳細な説明】
【０００１】
【発明の属する技術分野】
本発明は、少なくともブラシレスモータの起動前に、ステータ巻線に電流を供給してロータを制動、停止させる空気調和機のファン用ブラシレスモータの駆動装置に関する。
【０００２】
【従来の技術】
空気調和機のファンを駆動するモータとしてブラシレスモータが多く用いられるようになった。室外ファンは有風時に回転し、その回転方向及び速度は一様ではない。空気調和機の運転開始時に、室外ファンが回転していた場合には、その制動、停止、位置決めを行ってから起動させなければならない。
【０００３】
ブラシレスモータは、その回転子の磁極位置を検出するための検出器を必要とする。室外ファンの制動、停止、位置決めにはこの検出器の出力に基づいてその方向及び回転数を検知し、これに応じてステータ巻線の電流を制御していた。しかし、検出器として３個のホール素子を用いていたため、複雑な制御を余儀なくされ、これがコストを高騰させる一因になっていた。また、制動、停止、位置決めに際してステータ巻線に直流の電流を流していたが、この方法ではロータを形成する永久磁石が減磁したり、ステータ巻線に電流を流す駆動回路を破壊するような過大な電流が流れたりする可能性があった。
【０００４】
そこで、例えば、特開２０００−１２５５８４号公報には、ブラシレスモータを駆動するために、複数のスイッチング素子が３相ブリッジ接続されてなるインバータ回路を用い、ブラシレスモータの起動前にインバータ回路の正電圧側及び負電圧側のいずれか一方の１つの相のスイッチング素子をＰＷＭ通電すると共に、いずれか他方の残りの２つの相のスイッチング素子をＰＷＭ通電してロータを制動、停止、位置決めすることが開示されている。
【０００５】
【発明が解決しようとする課題】
ブラシレスモータのロータ磁極を形成する永久磁石には、フェライト磁石と希土類磁石とがあり、このうち、希土類磁石は高価であるため、空気調和機のファン用モータとしてはフェライト磁石が多く使用される。一般に、フェライト磁石は低温の温度特性が悪く、低温時にステータに大きな電流を流すと減磁しやすく、特に、室外ファン用においては冬季に低外気温（０℃以下）で起動させることを余儀なくされ、このような状態で通常の起動制御を実行すると減磁を生じることがあり得る。
【０００６】
特開２０００−１２５５８４号公報に記載されたものは、インバータ回路の正電圧側及び負電圧側のいずれか一方の１つの相のスイッチング素子をＰＷＭ通電すると共に、いずれか他方の残りの２つの相のスイッチング素子をＰＷＭ通電してロータに制動を加える際、ＰＷＭ通電のデューティ比は固定であった。このＰＷＭ通電のデューティ比は、通常の温度において制限電流に治まる値に設定されているが、上述したような低温状態において常温時と同じデューティ比でＰＷＭ通電した場合、ステータの巻線抵抗が低くなっているために電流が大きくなり、フェライト磁石の低温の温度特性が悪いことと相俟って、減磁が生じ易いという問題があった。
【０００７】
本発明は上記の事情を考慮してなされたもので、その目的は雰囲気温度が低い場合にファンが外的な要因によって回転している場合でも、制動、停止に伴う減磁を未然に防止することのできる空気調和機のファン用ブラシレスモータの駆動装置を提供することにある。
【０００８】
【課題を解決するための手段】
請求項１に係る発明は、圧縮機、四方弁、室内熱交換器、室外熱交換器が接続された冷凍サイクルと、この室外熱交換器に送風する室外ファンと、複数のスイッチング素子が３相ブリッジ接続され、前記室外ファンを駆動するブラシレスモータのステータ巻線に電流を供給するインバータ回路と、前記ブラシレスモータのロータの磁極位置を検出するホール素子と、空気調和機の運転開始時の前記ブラシレスモータの起動前に、前記ホール素子の出力信号に同期させて、前記インバータ回路の正電圧側及び負電圧側のいずれか一方の１つの相のスイッチング素子といずれか他方の残りの２つの相のスイッチング素子とを通電すると共に、正電圧側及び負電圧側の少なくとも一方をＰＷＭ通電してロータを制動、停止させる制御手段とを備える空気調和機のファン用ブラシレスモータの駆動装置において、
前記制御手段は、さらに、徐霜モード運転の終了時の前記ブラシレスモータの起動前においてもロータを制動、停止させると共に、その際、空気調和機の運転開始時の前記ブラシレスモータの起動前の制動と比較して、徐霜モード運転の終了時のＰＷＭ通電のデューティ比を小さくすることを特徴とする空気調和機のファン用ブラシレスモータの駆動装置として構成される。
【００１４】
ここで、室外熱交換器３５の熱交換を促進するために室外ファンモータ１によって駆動される室外ファン１Ｆが設けられている。室外ファンモータ１はフェライト磁石で磁極が形成されたロータを有するブラシレスモータが使用され、このロータの磁極位置を検出するためにホールＩＣ２が内部に装着されている。また、室外ファンモータ１のステータ巻線に３相電力を供給するインバータ回路３を備え、このインバータ回路３は単相の交流電源１１の交流を直流に変換し、さらに、直流をＰＷＭ波形でなる疑似３相交流に変換して室外ファンモータ１に供給する。また、変流器５Ａを付帯し、室外ファンモータ１の電流を検出する電流検出回路５、室外熱交換器３５の温度を検出する温度センサＳ１及び外気温を検出する温度センサＳ２の各出力信号に基づいて、インバータ回路３、四方弁３２及び膨張弁３４を制御する室外制御装置１０が設けられている。
【００１５】
一方、室内熱交換器３３の熱交換を促進するために室内ファンモータ６によって駆動される、室内ファン６Ｆが設けられている。この室内ファンモータ６もフェライト磁石で磁極が形成されたロータを有するブラシレスモータが使用され、その速度を制御するためのインバータ回路７を備えている。この場合、図面の簡易化のために、室内ファンモータ６の磁極位置を検出するホールＩＣは省略している。インバータ回路７は単相の交流電源１１の交流を直流に変換し、さらに、直流をＰＷＭ波形でなる疑似３相交流に変換して室内ファンモータ６に供給する。また、室内熱交換器３３の温度を検出する温度センサＳ３、室内温度を検出する温度センサＳ４の各検出値に基づいて、室内制御装置２０がインバータ回路７を制御するようになっている。なお、室外制御装置１０と室内制御装置２０とは相互に情報を交換する信号線によって接続されている。
【００１６】
次に、図１に示した空気調和機の動作について説明する。図示を省略したリモコン装置から運転モード及び室温等の設定信号が室内制御装置２０に送信される。このとき、運転モードが暖房であると室外制御装置１０が四方弁３２に通電して矢印Ａ方向に冷媒を循環させる経路を形成する。これによって、室内熱交換器３３が凝縮器として、室外熱交換器３５が蒸発器としてそれぞれ機能する暖房運転が可能になる。また、室内制御装置２０がインバータ回路７を制御する一方、室外制御装置１０がインバータ回路３を制御して、それぞれ室外ファンモータ１及び室内ファンモータ６にＰＷＭ電流を供給する。この場合、室外制御装置１０が室外ファンモータ１を回転させるのに先立ち、室外ファン１Ｆが回転中であれば、ホールＩＣ２の出力信号に基づいて室外ファンモータ１の制動、停止、位置決めの制御を行う。この制動、停止の制御の詳細については後述する。なお、位置決めについては、特開２０００−１２５５８４号公報に記載されているのでその説明を省略する。
【００１７】
一方、室内制御装置２０はリモコン装置で設定された室温と温度センサＳ４で検出された室温との差に応じて圧縮機３１の回転数を演算し、その演算結果を室外制御装置１０に送信する。室外制御装置１０はこの回転数に従って圧縮機３１の回転数を制御すると共に、室外ファンモータ１の回転数を制御する。また、室外制御装置１０は温度センサＳ１によって検出される室外熱交換器３５の温度等に応じて膨張弁３４の開度を制御する一方、四方弁３２の通電を遮断して徐霜モードで運転したりする。なお、室内制御装置２０が温度センサＳ３の温度検出信号に基づいて室内熱交換器３３の過熱防止の制御等を行うが、これらの制御は各種提案されて公知であるのでそれらの説明を省略する。
【００１８】
図２は本発明に係る空気調和機のファン用ブラシレスモータの駆動装置の第１の実施形態の構成を示す回路図である。同図において、室外ファンモータ（以下、図面を含めてブラシレスモータと略記する）１のＵ相、Ｖ相、Ｗ相の各ステータ巻線が星型結線され、さらに、ステータにはホールＩＣ２が設けられている。このうち、ステータ巻線Ｕ，Ｖ，Ｗの外部接続導線はインバータ回路３に接続され、ホールＩＣ２の電流供給及び検出信号導線は制御装置１０に接続されている。
【００１９】
インバータ回路３はスイッチング素子としてＦＥＴ（Field Effect Transistor ）でなるトランジスタＦｕ，Ｆｖ，Ｆｗ，Ｆｘ，Ｆｙ，Ｆｚが３相ブリッジ接続されている。すなわち、トランジスタＦｕ及びＦｘの直列接続回路と、トランジスタＦｖ及びＦｙの直列接続回路と、トランジスタＦｗ及びＦｚの直列接続回路とが並列接続され、その一端がスイッチ４を介して図示省略の直流電源（ＤＣ２８０Ｖ）の正極に接続され、他端が直流電源の負極に接続されている。これらのトランジスタＦｕ，Ｆｖ，Ｆｗ，Ｆｘ，Ｆｙ，Ｆｚには環流用のダイオードＤｕ，Ｄｖ，Ｄｗ，Ｄｘ，Ｄｙ，Ｄｚがそれぞれ逆並列に接続されている。
【００２０】
また、トランジスタＦｕ，Ｆｖ，Ｆｗ，Ｆｘ，Ｆｙ，Ｆｚの各ゲートには、ホトカプラでなる駆動回路Ｂ１，Ｂ２，Ｂ３，Ｂ４，Ｂ５，Ｂ６が接続されている。
【００２１】
これらの駆動回路の動作電力を供給するために、１次側が単相の交流電源１１に接続されたトランス１２と、このトランス１２の２次側に直列接続されたダイオードＤ０１及び平滑用のコンデンサＣ０１とでなる半波整流回路を備えている。そして、コンデンサＣ０１の正極が直流電源の負電圧側の駆動回路Ｂ４，Ｂ５，Ｂ６の一端にそれぞれ接続され、コンデンサＣ０１の負極が駆動回路Ｂ４，Ｂ５，Ｂ６の他端にそれぞれ接続されると共に、トランジスタＦｘ，Ｆｙ，Ｆｚの各ソース（負電圧側）に接続されている。また、直流電源の正電圧側の駆動回路Ｂ１，Ｂ２，Ｂ３にはそれぞれ駆動電力を蓄えるコンデンサＣ０２，Ｃ０３，Ｃ０４が並列接続され、その正極は逆流防止用のダイオードＤ０２，Ｄ０３，Ｄ０４を介して、電流制限用の抵抗Ｒの一端に接続されている。この抵抗Ｒの他端は半波整流回路を構成するコンデンサＣ０１の正極に接続されている。また、コンデンサＣ０２，Ｃ０３，Ｃ０４の負極はトランジスタＦｕ，Ｆｖ，Ｆｗの各ソースに接続されている。
【００２２】
一方、トランジスタＦｕ及びＦｘ、Ｆｖ及びＦｙ、Ｆｗ及びＦｚの相互接続点にそれぞれブラシレスモータ１のステータ巻線Ｕ，Ｖ，Ｗの各外部接続導線が接続されている。また、ブラシレスモータ１に設けられたホールＩＣ２の信号出力導線が制御装置１０を構成するＭＣＵ（マイクロコンピュータユニット）１００に接続され、このＭＣＵ１００から出力される制御信号Ｇ１，Ｇ２，Ｇ３，Ｇ４，Ｇ５，Ｇ６をそれぞれ駆動回路Ｂ１，Ｂ２，Ｂ３，Ｂ４，Ｂ５，Ｂ６に加えるように構成されている。さらに、インバータ回路３の直流電流経路に変流器５Ａが設けられ、電流検出回路５が電流検出信号を室外制御装置１０に加える構成になっている。
【００２３】
上記のように構成された本実施形態の動作について以下に説明する。
トランジスタＦｕ，Ｆｖ，Ｆｗ，Ｆｘ，Ｆｙ，Ｆｚが３相ブリッジ接続されたインバータ回路３の直流入力端子間に図示省略の直流電源のＤＣ２８０Ｖの電圧が印加される。ここで、トランジスタＦｕ，Ｆｖ，Ｆｗをインバータ回路の正電圧側のスイッチング素子と称し、トランジスタＦｘ，Ｆｙ，Ｆｚをインバータ回路の負電圧側のスイッチング素子と称することとする。交流電源１１はＡＣ１００Ｖで、トランス１２はこの電圧を例えばＡＣ５Ｖに降圧する。降圧された交流はダイオードＤ０１及びコンデンサＣ０１でなる半波整流回路によって整流平滑され、得られた直流電圧が負電圧側のスイッチング素子としてのトランジスタＦｘ，Ｆｙ，Ｆｚをそれぞれ駆動する駆動回路Ｂ４，Ｂ５，Ｂ６の両端に印加される。
【００２４】
一方、正電圧側のスイッチング素子としてのトランジスタＦｕ，Ｆｖ，Ｆｗを駆動する駆動回路Ｂ１，Ｂ２，Ｂ３にそれぞれ並列接続されたコンデンサＣ０２，Ｃ０３，Ｃ０４は負電圧側のスイッチング素子がオン状態になったとき、抵抗Ｒを介して、コンデンサＣ０１の両端電圧によって順次に充電（チャージアップ）される。インバータ回路３の起動前であれば、トランジスタＦｘ，Ｆｙ，Ｆｚを一斉にオン状態にすることによって、コンデンサＣ０２，Ｃ０３，Ｃ０４は全て充電される。これによってトランジスタＦｕ，Ｆｖ，Ｆｗ，Ｆｘ，Ｆｙ，Ｆｚの駆動回路Ｂ１，Ｂ２，Ｂ３，Ｂ４，Ｂ５，Ｂ６の動作が可能になる。これらの駆動回路に並列接続されたコンデンサの充電回路はチャージポンプ方式として知られ、例えば、特開平９−３７５８７号公報に記載されているのでその詳しい動作説明を省略するが、少なくとも通常運転時には各スイッチング素子に対する通電パターンによってコンデンサＣ０２，Ｃ０３，Ｃ０４は充電される。
【００２５】
次に、空気調和機の起動前に、風によって回転していた室外ファンは、これを一旦停止させ、位置決めをする必要がある。そのために、ブラシレスモータ１に制動、停止動作をさせる必要がある。
【００２６】
この場合、ＭＣＵ１００が制御信号Ｇ１，Ｇ２，Ｇ３，Ｇ４，Ｇ５，Ｇ６をそれぞれ駆動回路Ｂ１，Ｂ２，Ｂ３，Ｂ４，Ｂ５，Ｂ６に加えることによって、図３に示すように、例えば、正電圧側のＵ相のトランジスタＦｕ及びＷ相のトランジスタＦｗ、負電圧側のトランジスタＦｙの全てをＰＷＭ通電するか、あるいは、正電圧側及び負電圧側のいずれか一方を連続通電し、他方をＰＷＭ通電してＰＷＭ電流をステータ巻線Ｕ，Ｖ，Ｗに流し、所定の方向の磁界を発生させてロータを停止させる。本明細書ではこれを直流励磁通電パターンによる制動と称する。この直流励磁通電パターンによる制動はＰＷＭ電流を流すため、駆動回路及びモータに過度の負担をかけることなく、しかも、永久磁石の減磁を抑える効果がある。
【００２７】
ところで、ブラシレスモータ１のロータにフェライト磁石を用いた場合、フェライト磁石は低温の温度特性が悪く、低温時にステータに大きな電流を流すと減磁しやすい。本実施形態は、ブラシレスモータ１の雰囲気温度が、例えば、０℃を超えるときＰＷＭ通電のデューティ比を大きくして迅速に制動、停止させ、０℃以下の低温時には、ＰＷＭ通電のデューティ比を小さくして、フェライト磁石の減磁を防止しながら制動、停止させるようにしている。
【００２８】
図４はこのことを説明するために、雰囲気温度をパラメータとして、ＰＷＭ通電のデューティ比と、ステータ巻線に流れる電流、すなわち、モータ電流との関係を示した線図である。ここで、ブラシレスモータ１の雰囲気温度が０℃よりも高い、例えば、５℃においては特性線Ｐに示すようにＰＷＭ通電のデューティ比の増大に応じてモータ電流は直線的に増大する。これに対して、ブラシレスモータ１の雰囲気温度が０℃よりも低い、例えば、−３℃においては巻線抵抗の減少に応じてモータ電流が増大するため、特性線Ｑに示すようにＰＷＭ通電のデューティ比の増大に応じて直線的に増大し、恰も、特性線Ｐを左側に平行移動したような特性を有する。つまり、ＰＷＭ通電のデューティ比を小さくしても同じ大きさの電流が流れる。このことから明らかなように、ブラシレスモータ１の雰囲気温度が−３℃であるときに、雰囲気温度が５℃である場合と同様なデューティ比でＰＷＭ通電をすると過大な電流が流れてフェライト磁石を減磁させる虞れがある。
【００２９】
そこで、本実施形態では、ブラシレスモータ１の雰囲気温度Ｔが０℃を超えるとき、電流制限値ＩＬＡ以下の電流ＩＡに抑えるようにＰＷＭ通電のデューティ比をＤ１に設定し、ブラシレスモータ１の雰囲気温度Ｔが０℃よりも低いとき、電流制限値ＩＬＢ（＜ＩＬＡ）以下の電流ＩＢに抑えるようにＰＷＭ通電のデューティ比をＤ２（＜Ｄ１）に設定する。
【００３０】
図５は上述した直流励磁通電の関係を示す波形図であり、図中（ａ）は雰囲気温度Ｔが０℃を超える場合に、正電圧側のＵ相のトランジスタＦｕ及びＷ相のトランジスタＦｗをＰＷＭ通電し、負電圧側のＶ相のトランジスタＦｙを連続通電する制動、停止制御を期間Ｐに亘って実施する場合に、デューティ比Ｄ１＝Ｗ１／Ｑで直流励磁通電することを示し、これに対して図中（ｂ）は雰囲気温度Ｔが０℃よりも低下した場合に、正電圧側のＵ相のトランジスタＦｕ及びＷ相のトランジスタＦｗをＰＷＭ通電し、負電圧側のＶ相のトランジスタＦｙを連続通電する制動、停止制御を期間Ｐに亘って実施する場合に、デューティ比Ｄ２＝Ｗ２／Ｑで直流励磁通電することを示している。ここで、Ｗ１＞Ｗ２の関係にあり、従って、Ｄ１＞Ｄ２の関係を以て、雰囲気温度が０℃を超える範囲で許容電流ＩＬＡ以下の電流ＩＡを流すデューティ比Ｄ１でのＰＷＭ通電が行われ、雰囲気温度が０℃よりも低い範囲で許容電流ＩＬＢ以下の電流ＩＢに抑えるデューティ比Ｄ２でのＰＷＭ通電が行われる。
【００３１】
かくして、第１の実施形態によれば、雰囲気温度が低い場合にファンが外的な要因によって回転している場合でも、制動、停止に伴う減磁を未然に防止することができる。
【００３２】
なお、上記実施形態は起動時にブラシレスモータ１の雰囲気温度Ｔが０℃よりも低い場合にＰＷＭ通電のデューティ比を小さくしたが、暖房モード運転中になされる除霜モード運転を終了した直後の雰囲気温度は０℃以下と考えられる。従って、この時点においても室外ファン１Ｆが回転していた場合には、ＰＷＭ通電のデューティ比を小さくした直流励磁通電をする必要がある。
【００３３】
図６は起動時及び除霜復帰時を含めた制動、停止制御に対応するＭＣＵ１００の具体的な処理手順を示すフローチャートである。ここでは、先ず、ステップ１１１にて運転が開始されたか否かを判定し、運転開始と判断した場合にはステップ１１２で雰囲気温度Ｔが０℃を超えているか否かを判定し、０℃を超えているときはステップ１１３にてＰＷＭ通電のデューティ比をＤ１に設定し、ステップ１１４で制動、停止制御を含む起動制御を実行してステップ１１１以下の処理を繰り返す。なお、ステップ１１１で運転開始ではないと判定されたときは、ステップ１１５にて除霜運転の終了、すなわち、除霜復帰か否かを判定し、除霜復帰であればステップ１１６にてＰＷＭ通電のデューティ比をＤ２に設定し、ステップ１１４で制動、停止制御を含む起動制御を実行する。また、ステップ１１２で雰囲気温度Ｔが０℃を超えていないと判定した場合もまた、ステップ１１６にてＰＷＭ通電のデューティ比をＤ２に設定し、ステップ１１４で制動、停止制御を含む起動制御を実行する。なお、ステップ１１５で除霜復帰でないと判定した場合にはステップ１１７にてその他の通常制御を実行してステップ１１１の処理に戻る。
【００３４】
図６に示したＭＣＵ１００の処理によって、起動時の雰囲気温度が０℃を超える場合にＰＷＭ通電のデューティ比をＤ１とした直流励磁が行われ、起動時の雰囲気温度が０℃以下の場合及び除霜復帰時にＰＷＭ通電のデューティ比をＤ２（＜Ｄ２）とした直流励磁が行われ、これによって、制動、停止に伴う減磁を未然に防止することができる。
【００３５】
なお、第１の実施の形態では雰囲気温度Ｔが０℃を超えるか否かによりデューティ比をＤ１にするかＤ２にするかを決定したが、これらのデューティ比は電流の許容値以下に余裕を持って設定した固定値であった。つまり、雰囲気温度がかなり下がった場合にも過電流にならないことを保証する値であった。このため、制動、停止の制御が長引く傾向にある。この制動、停止の制御時間を短縮する１つの手法として、図４中の電流の許容値ＩＬＡ又はＩＬＢに近づけたデューティ比に設定することが考えられる。
【００３６】
図７はこのような考えに基づく第２の実施形態として、ＭＣＵ１００にその機能を持たせたフローチャートである。この場合、先ず、ステップ１２１にて運転が開始されたか否かを判定し、運転開始と判断した場合にはステップ１２２で雰囲気温度Ｔが０℃を超えているか否かを判定し、０℃を超えているときはステップ１２３にて電流制限値ＩｓをＩ１（大）に設定する。一方、ステップ１２１で運転開始ではないと判定したときは、ステップ１２４にて除霜運転の終了、すなわち、除霜復帰か否かを判定し、除霜復帰であればステップ１２５にて電流制限値ＩｓをＩ２（小）に設定する。ステップ１２２で雰囲気温度Ｔが０℃を超えていないと判定した場合もまた、ステップ１２５にて電流制限値ＩｓをＩ２（小）に設定する。
【００３７】
次に、ステップ１２７では２つの電流制限値よりも値の小さい電流に対応するデューティ比ｄに設定して制動、停止制御を実行し、ステップ１２８にてそのときの電流Ｉを検出する。次いで、ステップ１２９では電流検出値Ｉがそれぞれの雰囲気温度に対応する電制限値Ｉｓを超えるか否かを判定する。ここで、電流検出値Ｉが電流制限値Ｉｓを超えていない場合にはステップ１３０にて、ＰＷＭ通電のデューティ比をΔｄだけ増加し、反対に、電流検出値Ｉが電流制限値Ｉｓを超えている場合にはステップ１３１にて、ＰＷＭ通電のデューティ比をΔｄだけ減少してそれぞれ制動、停止制御を実行する。次に、ステップ１３２でファンが停止したか否か、すなわち、制動、停止制御を終了したか否かを判定し、終了しておればステップ１３３にて起動制御を開始し、終了していなければステップ１２８以降の処理を繰り返す。なお、ステップ１２４で除霜復帰でないと判定した場合にはステップ１２６にてその他の通常制御を実行してステップ１２１の処理に戻る。
【００３８】
かくして、図７にＭＣＵ１００の処理手順を示した第２の実施形態によっても、第１の実施形態と同様に、雰囲気温度が低い場合にファンが外的な要因によって回転している場合でも、制動、停止に伴う減磁を未然に防止することができ、しかも雰囲気温度に対応して許容電流に最も近い電流での直流励磁通電が行われるため、制動、停止制御の時間を短縮することができる。
【００３９】
ところで、第２の実施の形態においては、雰囲気温度が０℃を超えているか否かにより、電流制限値Ｉｓを２種類に設定したが、雰囲気温度に関係なく、電流制限値Ｉｓを設定し、常に、この電流制限値Ｉｓより僅かに低い電流を流して直流励磁通電することも可能である。
【００４０】
なお、上記の各実施形態では雰囲気温度が０℃を超えるか否かというように、雰囲気温度の変動範囲を２つに区分けしたが、この変動範囲をさらに多くに区分けして、雰囲気温度が低くなるに従ってＰＷＭ通電のデューティ比を小さくすることにより、制動、停止制御の時間を最短にすることができる。
【００４１】
また、上記の各実施形態では有風時にファンが回転する室外ファンモータを制御対象としたが、一般家庭用のものより容量の大きい空気調和機にあっては、起動時に室内ファンモータが回転している場合がある。この室内ファンモータがブラシレスモータである場合には、図６又は図７に示した処理を実行することによって上述したと同様な制動、停止制御ができる。なお、室内ファンモータの制御に当たっては、図６のステップ１１５及び図７のステップ１２４に示した除霜復帰の判定処理は不要になる。
【００４２】
さらにまた、上記の各実施形態では、３相ブリッジ接続されたインバータ回路３のうち、正電圧側のＵ相のトランジスタＦｕ及びＷ相のトランジスタＦｗをＰＷＭ通電すると共に、負電圧側のＶ相のトランジスタＦｙを連続通電して直流励磁を実行したが、これらのトランジスタの全てをＰＷＭ通電しても、あるいは、Ｕ相のトランジスタＦｕ及びＷ相のトランジスタＦｗを連続通電すると共に、Ｖ相のトランジスタＦｙをＰＷＭ通電しても上述したと同様な直流励磁をすることが可能である。また、通電相の組み合わせを変えて上述したと同様な直流励磁をすることも可能である。
【００４３】
また、上記の各実施形態では、制動、停止の対象とするファンの雰囲気温度を検出する温度センサＳ２を設けたが、制動、停止対象のブラシレスモータが室外ファン用であるとき、室外熱交換器の温度センサを代用し、制動、停止対象のブラシレスモータが室内ファン用であるとき、室内熱交換器の温度センサを代用することもできる。
【００４４】
【発明の効果】
以上の説明によって明らかなように、本発明によれば、雰囲気温度が低い場合にファンが外的な要因によって回転している場合でも、制動、停止に伴う減磁を未然に防止することのできる空気調和機のファン用ブラシレスモータの駆動装置を提供することができる。
【図面の簡単な説明】
【図１】本発明を適用する空気調和機の制御部の概略構成を、冷凍サイクル系統と併せて示したブロック回路図。
【図２】本発明に係る空気調和機のファン用ブラシレスモータの駆動装置の第１の実施形態の構成を示す回路図。
【図３】本発明の第１の実施形態の動作を説明するための、直流励磁通電パターンの説明図。
【図４】本発明の第１の実施形態の動作を説明するために、雰囲気温度をパラメータとして、ＰＷＭ通電のデューティ比とモータ電流との関係を示した線図
【図５】本発明の第１の実施形態の動作を説明するために、制動、停止制御の通電波形を示した図。
【図６】本発明の第１の実施形態を説明するために、ＭＣＵの具体的処理手順を示したフローチャート。
【図７】本発明の第２の実施形態を説明するために、ＭＣＵの具体的処理手順を示したフローチャート。
【符号の説明】
１  室外ファンモータ（ブラシレスモータ）
２  ホールＩＣ
３，７  インバータ回路
４  スイッチ
５  電流検出回路
６  室内ファンモータ
１０  室外制御装置
１１  交流電源
１２  トランス
３１  圧縮機
３２  四方弁
３３  室内熱交換器
３４  膨張弁
３５  室外熱交換器
１００  ＭＣＵ
Ｆｕ，Ｆｖ，Ｆｗ，Ｆｘ，Ｆｙ，Ｆｚ  トランジスタ（ＦＥＴ）
Ｂ１〜Ｂ６  駆動回路
Ｃ０１〜Ｃ０４  コンデンサ
【図１】
0004208228.tif 000002
【図２】
0004208228.tif 000003
【図３】
0004208228.tif 000004
【図４】
0004208228.tif 000005
【図５】
0004208228.tif 000006
【図６】
0004208228.tif 000007
【図７】
0004208228.tif 000008